(57)【要約】【課題】センサを要することなく、何れのソレノイドが故障しているのかを特定するための処理を要することなくソレノイドの故障を判定する。【解決手段】本発明に係る無段変速機の故障判定装置あるいは故障判定方法によれば、プライマリ側ソレノイド１３ｐに出力する駆動電流の目標値およびセカンダリ側ソレノイド１３ｓに出力する駆動電流の目標値の何れか一方を固定し他方を変動させることにより、プライマリ側ソレノイド１３ｐおよびセカンダリ側ソレノイド１３ｓの故障を判定する。【選択図】図１
2015140815.tif 000002
【特許請求の範囲】
【請求項１】
第１プーリ（１１ｐ）と第２プーリ（１１ｓ）との間にベルト（１２）が掛け渡され、前記第１プーリおよび前記第２プーリに与える油圧を制御することにより変速比を連続的に変化させる無段変速機の故障判定装置（２０）であって、
前記第１プーリに油圧を与える第１ソレノイド（１３ｐ）と、
前記第１ソレノイドに駆動電流を出力する第１駆動電流出力手段（２２ｐ）と、
前記第１ソレノイドに出力する駆動電流の目標値および前記第１ソレノイドに実際に入力される駆動電流に応じて前記第１駆動電流出力手段が出力する駆動電流を調整する第１フィードバック手段（２５ｐ）と、
前記第２プーリに油圧を与える第２ソレノイド（１３ｓ）と、
前記第２ソレノイドに駆動電流を出力する第２駆動電流出力手段（２２ｓ）と、
前記第２ソレノイドに出力する駆動電流の目標値および前記第２ソレノイドに実際に入力される駆動電流に応じて前記第２駆動電流出力手段が出力する駆動電流を調整する第２フィードバック手段（２５ｓ）と、
前記第１ソレノイドおよび前記第２ソレノイドの故障を判定する故障判定手段（２４）と、
を備え、
前記第１プーリに与えられる油圧および前記第２プーリに与えられる油圧の何れか一方の変動に応じて他方が変動するように構成され、
前記故障判定手段は、前記第１ソレノイドに出力する駆動電流の目標値および前記第２ソレノイドに出力する駆動電流の目標値の何れか一方を固定し他方を変動させることにより、前記第１ソレノイドおよび前記第２ソレノイドの故障を判定する無段変速機の故障判定装置。
【請求項２】
前記第１フィードバック手段は、前記第１ソレノイドに出力する駆動電流の目標値および前記第１ソレノイドに実際に入力される駆動電流に応じて駆動デューティを変化させることにより前記第１駆動電流出力手段が出力する駆動電流を調整するように構成され、
前記第２フィードバック手段は、前記第２ソレノイドに出力する駆動電流の目標値および前記第２ソレノイドに実際に入力される駆動電流に応じて駆動デューティを変化させることにより前記第２駆動電流出力手段が出力する駆動電流を調整するように構成され、
前記故障判定手段は、前記第１ソレノイドに出力する駆動電流の目標値および前記第２ソレノイドに出力する駆動電流の目標値の何れか一方を固定し他方を変動させた場合に、目標値が固定された側の駆動デューティが変化したか否かに基づいて、前記第１ソレノイドおよび前記第２ソレノイドの故障を判定する請求項１に記載の無段変速機の故障判定装置。
【請求項３】
前記故障判定手段は、前記第１ソレノイドに出力する駆動電流の目標値および前記第２ソレノイドに出力する駆動電流の目標値の何れか一方を固定し他方を変動させた場合において、目標値が固定された側の駆動デューティが変化しない場合に、目標値が固定された側のソレノイドが故障していると判定する請求項２に記載の無段変速機の故障判定装置。
【請求項４】
前記故障判定手段は、前記第１ソレノイドに出力する駆動電流の目標値および前記第２ソレノイドに出力する駆動電流の目標値の何れか一方を固定し他方を変動させた場合において、目標値が固定された側の駆動デューティが変動しない状態が所定時間継続した場合に、目標値が固定された側のソレノイドが故障していると判定する請求項２または３に記載の無段変速機の故障判定装置。
【請求項５】
前記故障判定手段は、前記第１ソレノイドに出力する駆動電流の目標値および前記第２ソレノイドに出力する駆動電流の目標値の何れか一方を固定し他方を変動させた場合において、さらに、目標値が変動された側のソレノイドに実際に入力される駆動電流または目標値が変動された側の駆動デューティが変動した場合に、目標値が固定された側の駆動デューティが変化したか否かに基づいて、前記第１ソレノイドおよび前記第２ソレノイドの故障を判定する請求項１から４の何れか１項に記載の無段変速機の故障判定装置。
【請求項６】
前記第１ソレノイドに出力する駆動電流の目標値および前記第２ソレノイドに出力する駆動電流の目標値の何れか一方を固定し他方を変動させるソレノイド故障判定モードと、
要求される変速比に応じて前記第１ソレノイドに出力する駆動電流の目標値および前記第２ソレノイドに出力する駆動電流の目標値を設定する通常モードと、に切り替え可能に構成されている請求項１から５の何れか１項に記載の無段変速機の故障判定装置。
【請求項７】
前記故障判定手段は、前記第１ソレノイドに出力する駆動電流の目標値および前記第２ソレノイドに出力する駆動電流の目標値の何れか一方を固定し他方を変動させた場合において、さらに、目標値が変動された側のソレノイドに実際に入力される駆動電流および目標値が変動された側の駆動デューティの少なくとも何れか一方の変動が所定時間内に所定回数検出した場合に、目標値が固定された側の駆動デューティが変化したか否かに基づいて、前記第１ソレノイドおよび前記第２ソレノイドの故障を判定する請求項１から６の何れか１項に記載の無段変速機の故障判定装置。
【請求項８】
第１プーリ（１１ｐ）と第２プーリ（１１ｓ）との間にベルト（１２）が掛け渡され、前記第１プーリおよび前記第２プーリに与える油圧を制御することにより変速比を連続的に変化させる無段変速機の故障判定装置（２０）であって、前記第１プーリに油圧を与える第１ソレノイド（１３ｐ）と、前記第１ソレノイドに駆動電流を出力する第１駆動電流出力手段（２２ｐ）と、前記第１ソレノイドに出力する駆動電流の目標値および前記第１ソレノイドに実際に入力される駆動電流に応じて前記第１駆動電流出力手段が出力する駆動電流を調整する第１フィードバック手段（２５ｐ）と、前記第２プーリに油圧を与える第２ソレノイド（１３ｓ）と、前記第２ソレノイドに駆動電流を出力する第２駆動電流出力手段（２２ｓ）と、前記第２ソレノイドに出力する駆動電流の目標値および前記第２ソレノイドに実際に入力される駆動電流に応じて前記第２駆動電流出力手段が出力する駆動電流を調整する第２フィードバック手段（２５ｓ）と、を備え、前記第１プーリに与えられる油圧および前記第２プーリに与えられる油圧の何れか一方の変動に応じて他方が変動するように構成された無段変速機において、
前記第１ソレノイドに出力する駆動電流の目標値および前記第２ソレノイドに出力する駆動電流の目標値の何れか一方を固定し他方を変動させることにより、前記第１ソレノイドおよび前記第２ソレノイドの故障を判定する無段変速機の故障判定方法。
【発明の詳細な説明】
【技術分野】
【０００１】
本発明は、無段変速機の故障判定装置、および、無段変速機の故障判定方法に関する。
【背景技術】
【０００２】
従来より、変速比を連続的に変化させるいわゆる無段変速機（ＣＶＴ：Continuously Variable Transmission）が提供されている（例えば特許文献１参照）。この種の無段変速機において、プライマリプーリあるいはセカンダリプーリに油圧を与えるソレノイドの故障判定は、従来では次のように行われている。
即ち、プライマリプーリとセカンダリプーリの回転数を回転センサにより取得し、取得した回転数に基づいて実際の変速比を算出する。そして、実際の変速比と目標の変速比とが乖離する場合に、ソレノイドに機能的な故障が発生していることを判定する。また、プーリに実際に与えられている油圧を油圧センサにより取得し、実際の油圧と目標の油圧が乖離する場合に、ソレノイドに機能的な故障が発生していることを判定する。
【先行技術文献】
【特許文献】
【０００３】
【特許文献１】特開２００９−３０７３０号公報
【発明の概要】
【発明が解決しようとする課題】
【０００４】
しかしながら、従来技術では、センサが故障した場合、あるいは、例えば車速が低速であるときなどセンサの信頼度が低い場合においては、ソレノイドの故障判定を行うことができない。また、実際の変速比と目標の変速比とが乖離する場合としては、プライマリプーリ側のソレノイドが故障している場合、および、セカンダリプーリのソレノイドが故障している場合の２つのパターンが考えられる。そのため、何れのソレノイドが故障しているのかを特定するための処理が必要となる。
【０００５】
そこで、本発明は、センサを要することなく、また、何れのソレノイドが故障しているのかを特定するための処理を要することなくソレノイドの故障を判定することができる無段変速機の故障判定装置、および、無段変速機の故障判定方法を提供する。
【課題を解決するための手段】
【０００６】
本発明に係る無段変速機の故障判定装置あるいは故障判定方法によれば、第１ソレノイドに出力する駆動電流の目標値および第２ソレノイドに出力する駆動電流の目標値の何れか一方を固定し他方を変動させることにより、第１ソレノイドおよび第２ソレノイドの故障を判定する。即ち、第１ソレノイドに出力する駆動電流の目標値および第２ソレノイドに出力する駆動電流の目標値の何れか一方を固定し他方を変動させた場合において、目標値が固定された側のソレノイドが正常であれば、目標値が固定された側のソレノイドの状態に変化が生じ、一方、目標値が固定された側のソレノイドが故障していれば、目標値が固定された側のソレノイドの状態に変化が生じない。
【０００７】
よって、本発明によれば、各ソレノイドに出力する駆動電流の目標値の何れか一方を固定し他方を変動させることにより、センサを要することなく、ソレノイドの故障を判定することができる。また、目標値を固定した側のソレノイドを故障が発生しているソレノイドとして直ちに特定することができ、何れのソレノイドが故障しているのかを特定するための処理が不要とすることができる。
【図面の簡単な説明】
【０００８】
【図１】本実施形態に係る無段変速機の変速制御システムの構成例を概略的に示すブロック図
【図２】ソフト制御ブロックの構成例を概略的に示すブロック図
【図３】変速制御システムにおいてソレノイドが正常である場合に観測される現象の一例を示す図
【図４】変速制御システムにおいてソレノイドが故障している場合に観測される現象の一例を示す図
【図５】ソレノイドの故障判定制御の一例を示すフローチャート
【図６】ソレノイドの故障判定制御における一部の処理の一例を詳細に示すフローチャート（その１）
【図７】ソレノイドの故障判定制御における一部の処理の一例を詳細に示すフローチャート（その２）
【図８】ソレノイドの故障判定制御の一例を視覚的に示すタイミングチャート
【発明を実施するための形態】
【０００９】
以下、無段変速機の故障判定装置および故障判定方法に係る複数の実施形態について図面を参照しながら説明する。例えば図１に示す無段変速機の変速制御システム１００は、無段変速機１０と電子制御ユニット２０で構成されている。無段変速機１０は、駆動側のプライマリプーリ１１ｐ、従動側のセカンダリプーリ１１ｓ、および、これらプーリ１１ｐ，１１ｓの間に掛け渡されたベルト１２などを備えて構成されている。プライマリプーリ１１ｐは第１プーリの一例であり、セカンダリプーリ１１ｓは第２プーリの一例である。ベルト１２は、プライマリプーリ１１ｐによる駆動力をセカンダリプーリ１１ｓに伝達する。無段変速機１０は、プライマリプーリ１１ｐおよびセカンダリプーリ１１ｓに与えられる油圧が電子制御ユニット２０によって適宜制御されることにより、変速比を連続的に変化させる構成である。
【００１０】
また、無段変速機１０は、プライマリプーリ１１ｐに油圧を与えるプライマリ側ソレノイド１３ｐ、および、セカンダリプーリ１１ｓに油圧を与えるセカンダリ側ソレノイド１３ｓを備える。プライマリ側ソレノイド１３ｐは、第１ソレノイドの一例であり、電子制御ユニット２０から与えられる駆動電流を油圧の出力値に変換し、その出力値に応じた油圧をプライマリプーリ１１ｐに与える。これにより、電子制御ユニット２０から与えられる駆動電流値に応じた油圧がプライマリプーリ１１ｐに与えられる。セカンダリ側ソレノイド１３ｓは、第２ソレノイドの一例であり、電子制御ユニット２０から与えられる駆動電流を油圧の出力値に変換し、その出力値に応じた油圧をセカンダリプーリ１１ｓに与える。これにより、電子制御ユニット２０から与えられる駆動電流値に応じた油圧がセカンダリプーリ１１ｓに与えられる。
【００１１】
また、プライマリ側ソレノイド１３ｐの出力、つまりプライマリプーリ１１ｐに与えられる油圧と、セカンダリ側ソレノイド１３ｓの出力、つまりセカンダリプーリ１１ｓに与えられる油圧は、共通の調圧バルブ１４に入力されるようになっている。そして、調圧バルブ１４に入力されるプライマリプーリ１１ｐの油圧およびセカンダリプーリ１１ｓの油圧に基づいて、無段変速機１０全体の油圧がライン圧として出力されるようになっている。
【００１２】
電子制御ユニット２０は、無段変速機の故障判定装置の一例であり、図示しないＣＰＵを主体として構成されている。電子制御ユニット２０は、ＣＰＵが制御プログラムを実行することに基づいてソフトウェアによって仮想的に実現されるソフト制御ブロック２１と、電子回路によってハードウェアとして実現されている電流発生回路２２および電流測定回路２３などを備える。ソフト制御ブロック２１は、メイン制御部２４、フィードバック制御部２５などを備える。メイン制御部２４は、無段変速機１１の動作全体を制御する主体となるものである。また、メイン制御部２４は、詳しくは後述するように、故障判定手段の一例として機能する。
【００１３】
フィードバック制御部２５は、フリップ／フロップ項、擬似積分項、比例項などを備える周知の構成であり、この場合、プライマリ側フィードバック制御部２５ｐおよびセカンダリ側フィードバック制御部２５ｓからなる。プライマリ側フィードバック制御部２５ｐは、第１フィードバック手段の一例であり、メイン制御部２４から入力される目標電流値およびプライマリ側電流測定回路２３ｐから入力される実電流値に基づいて駆動デューティを演算し、その駆動デューティをプライマリ側電流発生回路２２ｐに出力する。即ち、プライマリ側フィードバック制御部２５ｐは、プライマリ側ソレノイド１３ｐに出力する駆動電流の目標値およびプライマリ側ソレノイド１３ｐに実際に入力される駆動電流に応じて駆動デューティを適宜変化させることにより、プライマリ側電流発生回路２２ｐが出力する駆動電流を適宜調整する機能を備える。
【００１４】
セカンダリ側フィードバック制御部２５ｓは、第２フィードバック手段の一例であり、メイン制御部２４から入力される目標電流値およびセカンダリ側電流測定回路２３ｓから入力される実電流値に基づいて駆動デューティを演算し、その駆動デューティをセカンダリ側電流発生回路２２ｓに出力する。即ち、セカンダリ側フィードバック制御部２５ｓは、セカンダリ側ソレノイド１３ｓに出力する駆動電流の目標値およびセカンダリ側ソレノイド１３ｓに実際に入力される駆動電流に応じて駆動デューティを適宜変化させることにより、セカンダリ側電流発生回路２２ｓが出力する駆動電流を適宜調整する機能を備える。
【００１５】
電流発生回路２２は、プライマリ側電流発生回路２２ｐおよびセカンダリ側電流発生回路２２ｓからなる。プライマリ側電流発生回路２２ｐは、第１駆動電流出力手段の一例であり、プライマリ側フィードバック制御部２５ｐから入力される駆動デューティに応じて駆動電流を発生し、その駆動電流をプライマリ側ソレノイド１３ｐに出力する。プライマリ側ソレノイド１３ｐは、入力された駆動電流に基づいて、当該プライマリ側ソレノイド１３ｐが備えるプランジャを駆動する。セカンダリ側電流発生回路２２ｓは、第２駆動電流出力手段の一例であり、セカンダリ側フィードバック制御部２５ｓから入力される駆動デューティに応じて駆動電流を発生し、その駆動電流をセカンダリ側ソレノイド１３ｓに出力する。セカンダリ側ソレノイド１３ｓは、入力された駆動電流に基づいて、当該セカンダリ側ソレノイド１３ｓが備えるプランジャを駆動する。
【００１６】
電流測定回路２３は、プライマリ側電流測定回路２３ｐおよびセカンダリ側電流測定回路２３ｓからなる。プライマリ側電流測定回路２３ｐは、プライマリ側ソレノイド１３ｐに実際に入力されている駆動電流を測定し、測定した駆動電流値を実電流値としてプライマリ側フィードバック制御部２５ｐに出力する。セカンダリ側電流測定回路２３ｓは、セカンダリ側ソレノイド１３ｓに実際に入力されている駆動電流を測定し、測定した駆動電流値を実電流値としてセカンダリ側フィードバック制御部２５ｓに出力する。
【００１７】
また、変速制御システム１００においては、プライマリ側ソレノイド１３ｐ、プライマリ側電流発生回路２２ｐ、プライマリ側電流測定回路２３ｐ、プライマリ側フィードバック制御部２５ｐにより、プライマリプーリ１１ｐに与えられる油圧を制御するプライマリ側ソレノイド駆動系３０ｐが構成されている。また、セカンダリ側ソレノイド１３ｓ、セカンダリ側電流発生回路２２ｓ、セカンダリ側電流測定回路２３ｓ、セカンダリ側フィードバック制御部２５ｓにより、セカンダリプーリ１１ｓに与えられる油圧を制御するセカンダリ側ソレノイド駆動系３０ｓが構成されている。
【００１８】
次に、ソフト制御ブロック２１の構成についてさらに詳細に説明する。例えば図２に示すように、メイン制御部２４は、通常モードとソレノイド故障判定モードとを適宜切り替える切り替え機構部４０をさらに備える。この切り替え機構部４０は、２つの切り替えブロック４０ｐ，４０ｓを備える。
【００１９】
メイン制御部２４は、切り替えブロック４０ｐ，４０ｓを図２に破線で示すように切り替えることにより、当該メイン制御部２４を通常モードに切り替える。このモードでは、プライマリ側ソレノイド駆動系３０ｐおよびセカンダリ側ソレノイド駆動系３０ｓには、目標電流値が通常制御用の出力パターンにより出力される。即ち、通常モードでは、変速制御システム１００に入力される変速指令信号、つまり、外部から要求される変速比に応じて、プライマリ側ソレノイド駆動系３０ｐに出力する目標電流値およびセカンダリ側ソレノイド駆動系３０ｓに出力する駆動電流の目標値が設定され出力される出力パターンとなる。
【００２０】
また、メイン制御部２４は、切り替えブロック４０ｐ，４０ｓを図２に実線で示すように切り替えることにより、当該メイン制御部２４をソレノイド故障判定モードに切り替える。このモードでは、プライマリ側ソレノイド駆動系３０ｐおよびセカンダリ側ソレノイド駆動系３０ｓには、目標電流値がソレノイド故障判定用の出力パターンにより出力される。即ち、ソレノイド故障判定モードでは、プライマリ側ソレノイド駆動系３０ｐに出力する目標電流値およびセカンダリ側ソレノイド駆動系３０ｓに出力する目標電流値の何れか一方が固定され他方が変動する出力パターンとなる。
【００２１】
次に、変速制御システム１００においてソレノイドが正常である場合に観測される現象を説明する。即ち、例えば図３に示すように、メイン制御部２４は、プライマリ側フィードバック制御部２５ｐに出力する目標電流値Ｐ１を固定し、セカンダリ側フィードバック制御部２５ｓに出力する目標電流値Ｓ１を変動させる。セカンダリ側フィードバック制御部２５ｓに入力する目標電流値Ｓ１が変動すると、これに追従して、セカンダリ側フィードバック制御部２５ｓが出力する駆動デューティＳ２が変動し、さらに、これに追従して、セカンダリ側電流発生回路２２ｓが出力する駆動電流、換言すればセカンダリ側ソレノイド１３ｓの実電流Ｓ３が変動するようになる。
【００２２】
よって、セカンダリ側フィードバック制御部２５ｓに出力する目標電流値Ｓ１の変動に追従して、セカンダリ側ソレノイド１３ｓが出力する油圧が変動するようになる。ここで、セカンダリ側ソレノイド１３ｓの油圧出力系とプライマリ側ソレノイド１３ｐの油圧出力系は、調圧バルブ１４を介して間接的に接続されている。そのため、セカンダリ側ソレノイド１３ｓが出力する油圧の変動に連動して、プライマリ側ソレノイド１３ｐが出力する油圧が変動する。このとき、プライマリ側ソレノイド１３ｐは、例えばプランジャの固着といった故障が発生しておらず正常な状態であれば、与えられる油圧が変動することに伴いプランジャが移動する。そのため、インダクタンスが変動する。
【００２３】
ここで、プライマリ側ソレノイド１３ｐは、同じ駆動デューティで駆動されている状態においては、インダクタンスが変動すると、それに伴い実電流が変動する傾向がある。そのため、セカンダリ側ソレノイド１３ｓの油圧が変動し始める際に、プライマリ側ソレノイド１３ｐの実電流値Ｐ３が瞬時的に変動する。一方で、プライマリ側フィードバック制御部２５ｐは、メイン制御部２４から与えられる目標電流値が固定されている。そのため、プライマリ側フィードバック制御部２５ｐは、プライマリ側ソレノイド１３ｐの実電流値Ｐ３が変動すると、その変動を吸収すべく、プライマリ側電流発生回路２２ｐに出力する駆動デューティＰ２を変動させる。
【００２４】
なお、セカンダリ側ソレノイド駆動系３０ｓに出力する目標電流値を固定し、プライマリ側ソレノイド駆動系３０ｐに出力する目標電流値を変動させた場合においては、セカンダリ側ソレノイド１３ｓが正常な状態であれば、上述と同じメカニズムにより、セカンダリ側ソレノイド１３ｓの実電流値やセカンダリ側電流発生回路２２ｓが出力する駆動デューティに変動が生じるようになる。
【００２５】
以上の通り、プライマリ側ソレノイド駆動系３０ｐに出力する目標電流値およびセカンダリ側ソレノイド駆動系３０ｓに出力する目標電流値の何れか一方を固定し他方を変動させた場合において、目標電流値が固定された側のソレノイド１３ｐ，１３ｓが正常状態であれば、そのソレノイド１３ｐ，１３ｓの状態に変化が生じる。
【００２６】
次に、変速制御システム１００においてソレノイドが故障している場合に観測される現象を説明する。即ち、例えば図４に示すように、メイン制御部２４は、プライマリ側フィードバック制御部２５ｐに出力する目標電流値Ｐ１を固定し、セカンダリ側フィードバック制御部２５ｓに出力する目標電流値Ｓ１を変動させる。セカンダリ側フィードバック制御部２５ｓに入力する目標電流値Ｓ１が変動すると、これに追従して、セカンダリ側フィードバック制御部２５ｓが出力する駆動デューティＳ２が変動し、さらに、これに追従して、セカンダリ側電流発生回路２２ｓが出力する駆動電流、換言すればセカンダリ側ソレノイド１３ｓの実電流Ｓ３が変動するようになる。
【００２７】
よって、セカンダリ側フィードバック制御部２５ｓに出力する目標電流値Ｓ１の変動に追従して、セカンダリ側ソレノイド１３ｓが出力する油圧が変動するようになる。そして、セカンダリ側ソレノイド１３ｓの油圧出力系とプライマリ側ソレノイド１３ｐの油圧出力系が調圧バルブ１４を介して間接的に接続されていることから、セカンダリ側ソレノイド１３ｓが出力する油圧の変動に連動して、プライマリ側ソレノイド１３ｐが出力する油圧が変動する。このとき、プライマリ側ソレノイド１３ｐは、例えばプランジャの固着といった故障が発生し異常な状態であれば、与えられる油圧が変動したとしてもプランジャが移動しない。そのため、インダクタンスも変動しない。よって、プライマリ側ソレノイド１３ｐの実電流値Ｐ３の瞬時的な変動が発生せず、従って、プライマリ側フィードバック制御部２５ｐが出力する駆動デューティＰ２の変動も発生しない。
【００２８】
なお、セカンダリ側ソレノイド駆動系３０ｓに出力する目標電流値を固定し、プライマリ側ソレノイド駆動系３０ｐに出力する目標電流値を変動させた場合においては、セカンダリ側ソレノイド１３ｓが故障状態であれば、上述と同じメカニズムにより、セカンダリ側ソレノイド１３ｓの実電流値やセカンダリ側電流発生回路２２ｓが出力する駆動デューティに変動が生じない。
【００２９】
以上の通り、プライマリ側ソレノイド駆動系３０ｐに出力する目標電流値およびセカンダリ側ソレノイド駆動系３０ｓに出力する目標電流値の何れか一方を固定し他方を変動させた場合において、目標電流値が固定された側のソレノイド１３ｐ，１３ｓが故障状態であれば、そのソレノイド１３ｐ，１３ｓの状態に変化が生じない。
【００３０】
変速制御システム１００においては、ソレノイド１３ｐ，１３ｓにそれぞれ出力する目標電流値の何れか一方を固定し他方を変動させると、上述した通り、ソレノイド１３ｐ，１３ｓが正常状態である場合と故障状態である場合とで、それぞれ異なる現象が観測される。次に、この点を利用して実現されるソレノイドの故障判定方法について説明する。なお、この場合は、プライマリ側ソレノイド１３ｐに出力する駆動電流の目標値を固定し、セカンダリ側ソレノイド１３ｓに出力する駆動電流を変動させる場合について説明する。
【００３１】
即ち、例えば図５に示すように、メイン制御部２４は、この場合、プライマリ側ソレノイド駆動系３０ｐに出力する目標電流値を固定し、セカンダリ側ソレノイド駆動系３０ｓに出力する目標電流値を変動させる（Ａ１）。その後、メイン制御部２４は、ステップＡ２に移行する。ステップＡ２では、メイン制御部２４は、プライマリ側フィードバック制御部２５ｐが出力する駆動デューティ、セカンダリ側フィードバック制御部２５ｓが出力する駆動デューティ、セカンダリ側電流測定回路２３ｓが測定する実電流値を取得する。そして、メイン制御部２４は、ステップＡ３に移行する。ステップＡ３では、メイン制御部２４は、セカンダリ側フィードバック制御部２５ｓが出力する駆動デューティが変動したか否か、または、セカンダリ側電流測定回路２３ｓが測定する実電流値が変動したか否かを判定する。
【００３２】
メイン制御部２４は、セカンダリ側フィードバック制御部２５ｓが出力する駆動デューティが変動した場合、または、セカンダリ側電流測定回路２３ｓが測定する実電流値が変動した場合には（Ａ３：ＹＥＳ）、プライマリ側フィードバック制御部２５ｐが出力する駆動デューティが変動したか否かを判定する（Ａ４）。メイン制御部２４は、プライマリ側フィードバック制御部２５ｐが出力する駆動デューティが変動した場合には（Ａ４：ＹＥＳ）、プライマリ側ソレノイド１３ｐが正常状態であると判定する（Ａ５）。一方、メイン制御部２４は、プライマリ側フィードバック制御部２５ｐが出力する駆動デューティが変動しない場合には（Ａ４：ＮＯ）、プライマリ側ソレノイド１３ｐが故障状態であると判定する（Ａ６）。
【００３３】
次に、上述のステップＡ１に係る制御内容についてさらに詳細に説明する。即ち、例えば図６に示すように、メイン制御部２４は、ステップＡ１の処理を開始すると、通常モードからソレノイド故障判定モードへの切り替え条件Ｊ１が成立したか否か（Ｂ１）、および、ソレノイド故障判定モードから通常モードへの切り替え条件Ｊ２が成立したか否か（Ｂ２）を判定する。
【００３４】
なお、切り替え条件Ｊ１は、例えば次のような要素を考慮して設定するとよい。即ち、例えば、ソレノイドの故障判定制御がドライバビリティや他の故障判定制御に影響を及ぼさない状態であることを切り替え条件Ｊ１として設定することができる。なお、ソレノイドの故障判定制御がドライバビリティや他の故障判定制御に影響を及ぼさない状態とは、例えば、車両の速度が極めて低速である状態、車両が停車した状態、車両の電源がオフであるときに電子制御ユニット２０が起動された状態などが考えらえる。
【００３５】
また、ソレノイドの故障判定制御の実施頻度を予め規定しておき、その規定に応じて切り替え条件Ｊ１を設定してもよい。即ち、例えば、車両の走行中において走行距離が例えば１０ｋｍといった所定距離に到達することを切り替え条件Ｊ１として設定してもよい。この場合、車両が所定距離走るごとにソレノイドの故障判定制御が実施されるようになる。また、車両の電源がオフされたことを切り替え条件Ｊ１として設定してもよい。この場合、車両の電源がオフされるごとにソレノイドの故障判定制御が実施されるようになる。なお、ソレノイドの故障判定制御は、例えば、車両の電源がオフされたら直ちに実施するように設定してもよいし、車両の電源がオフされてから所定時間経過後に実施するように設定してもよい。また、変速制御システム１００は、車両の電源がオフされた場合には、図示しないバックアップ電源などにより動作するように構成するとよい。
【００３６】
また、例えば情報処理端末などで構成される図示しないサービスツールからモードの切り替え指令信号が入力されたことを切り替え条件Ｊ１として設定してもよい。即ち、メイン制御部２４は、変速制御システム１００の外部から与えられる切り替え要求に応じて、通常モードからソレノイド故障判定モードに切り替わる構成としてもよい。これにより、例えばディーラにおいて車両の検査を受ける場合などに、作業者の操作に応じてソレノイド故障判定制御を実施することができる。
【００３７】
また、切り替え条件Ｊ２は、例えば次のような要素を考慮して設定するとよい。即ち、ソレノイド故障判定制御によりソレノイド１３ｐ，１３ｓの正常あるいは故障が検出されたことを切り替え条件Ｊ２として設定することができる。また、ソレノイドの故障判定制御がドライバビリティや他の故障判定制御に影響を及ぼす状態であることを切り替え条件Ｊ２として設定してもよい。また、図示しないサービスツールからモードの切り替え指令信号が入力されたことを切り替え条件Ｊ２として設定してもよい。なお、切り替え条件Ｊ１，Ｊ２は、以上に例示した条件に限られるものではなく、適宜の条件を設定することができる。
【００３８】
メイン制御部２４は、通常モードからソレノイド故障判定モードへの切り替え条件Ｊ１が成立した場合には（Ｂ１：ＹＥＳ）、当該メイン制御部２４をソレノイド故障判定モードに切り替える（Ｂ３）。一方、メイン制御部２４は、ソレノイド故障判定モードから通常モードへの切り替え条件Ｊ２が成立した場合には（Ｂ２：ＹＥＳ）、当該メイン制御部２４を通常モードに切り替える（Ｂ４）。
【００３９】
そして、メイン制御部２４は、当該メイン制御部２４が通常モードであるか否かを判定する（Ｂ５）。メイン制御部２４は、通常モードに切り替えられている場合には（Ｂ５：ＹＥＳ）、プライマリ側ソレノイド駆動系３０ｐに出力する目標電流値およびセカンダリ側ソレノイド駆動系３０ｓに出力する目標電流値を、通常制御用の出力パターンとなるように算出する（Ｂ６）。そして、メイン制御部２４は、算出した目標電流値を、プライマリ側フィードバック制御部２５ｐおよびセカンダリ側フィードバック制御部２５ｓに出力する目標電流値として設定する（Ｂ７）。そして、メイン制御部２４は、設定した目標電流値を、それぞれプライマリ側ソレノイド駆動系３０ｐおよびセカンダリ側ソレノイド駆動系３０ｓに出力する（Ｂ８）。
【００４０】
一方、メイン制御部２４は、ソレノイド故障判定モードに切り替えられている場合には（Ｂ５：ＮＯ）、プライマリ側ソレノイド駆動系３０ｐに出力する目標電流値およびセカンダリ側ソレノイド駆動系３０ｓに出力する目標電流値を、ソレノイド故障判定用の出力パターンとなるように算出する（Ｂ９）。このとき、固定させる側の目標電流値は、例えば通常モードにおいて出力される平均的な目標電流値で設定するなど、任意の値で設定することができる。一方、変動させる側の目標電流値も任意の値で設定することができるが、その値が極力変化するように設定するとよい。即ち、目標電流値が変化する幅や変化する時間間隔などが極力変化に富むものとなるように設定するとよい。そして、メイン制御部２４は、算出した目標電流値を、プライマリ側フィードバック制御部２５ｐおよびセカンダリ側フィードバック制御部２５ｓに出力する目標電流値として設定する（Ｂ１０）。そして、メイン制御部２４は、設定した目標電流値を、それぞれプライマリ側ソレノイド駆動系３０ｐおよびセカンダリ側ソレノイド駆動系３０ｓに出力する（Ｂ１１）。
【００４１】
なお、メイン制御部２４は、通常モードからソレノイド故障判定モードへの切り替え条件Ｊ１が成立せず（Ｂ１：ＮＯ）、且つ、ソレノイド故障判定モードから通常モードへの切り替え条件Ｊ２が成立しない場合（Ｂ２：ＮＯ）には、ステップＢ１２に移行して、モードを前回値とさせる。即ち、この場合には、メイン制御部２４は、モードの切り替え処理を行わず、前回のモード、つまり切り替え条件の成否の判定処理を行う前のモードをそのまま維持する。そして、メイン制御部２４は、ステップＢ５に移行する。
【００４２】
次に、上述のステップＡ３〜Ａ６に係る制御内容についてさらに詳細に説明する。即ち、例えば図７に示すように、メイン制御部２４は、ソレノイドの故障判定制御を開始すると、当該制御を開始してからの経過時間Ｔ１の計測を図示しない計測タイマにより開始する（Ｃ１）。そして、メイン制御部２４は、目標電流値を変動させた側の実電流値の変動幅が所定幅Ｗ以上であるか否かを判定する（Ｃ２）。なお、所定幅Ｗは、適宜変更して設定することができ、この場合、０．３［Ａ］で設定されている。
【００４３】
メイン制御部２４は、目標電流値を変動させた側の実電流値の変動幅が所定幅Ｗ以上である場合には（Ｃ２：ＹＥＳ）、目標電流値を変動させた側の実電流値の変動回数Ｎ１を１回カウントアップする（Ｃ３）。そして、メイン制御部２４は、目標電流値を変動させた側の駆動デューティ（デューティ比）が所定値Ｐ１以上であるか否かを判定する（Ｃ４）。なお、所定値Ｐ１は、適宜変更して設定することができ、この場合、２５［％］で設定されている。
【００４４】
メイン制御部２４は、目標電流値を変動させた側の駆動デューティが所定値Ｐ１以上である場合には（Ｃ４：ＹＥＳ）、目標電流値を変動させた側の駆動デューティの変動回数Ｎ２を１回カウントアップする（Ｃ５）。そして、メイン制御部２４は、ソレノイドの故障判定制御を開始してからの経過時間Ｔ１が所定時間Ｔ１ａを経過していないか否かを判断する（Ｃ６）。なお、所定時間Ｔ１ａは、適宜変更して設定することができ、この場合、１０００［ｍｓ］で設定されている。
【００４５】
メイン制御部２４は、経過時間Ｔ１が所定時間Ｔ１ａを経過していない場合には（Ｃ６：ＹＥＳ）、目標電流値を変動させた側の実電流値の変動回数Ｎ１が所定回数Ｎ１ａ以上であるか否か、または、目標電流値を変動させた側の駆動デューティの変動回数Ｎ２が所定回数Ｎ２ａ以上であるか否かを判定する（Ｃ７）。なお、所定回数Ｎ１ａ，Ｎ２ａは、それぞれ適宜変更して設定することができ、この場合、何れも５［回］で設定されている。
【００４６】
メイン制御部２４は、目標電流値を変動させた側の実電流値の変動回数Ｎ１が所定回数Ｎ１ａ以上である場合、または、目標電流値を変動させた側の駆動デューティの変動回数Ｎ２が所定回数Ｎ２ａ以上である場合には（Ｃ７：ＹＥＳ）、目標電流値が固定された側の駆動デューティが（デューティ比）が所定値Ｐ２よりも小さい否かを判定する（Ｃ８）。なお、所定値Ｐ２は、適宜変更して設定することができ、この場合、５［％］で設定されている。即ち、メイン制御部２４は、目標電流値が固定された側の駆動デューティが５［％］よりも小さい場合には、目標電流値が固定された側の駆動デューティに変動が発生していないものとみなす設定となっている。
【００４７】
メイン制御部２４は、目標電流値が固定された側の駆動デューティが所定値Ｐ２よりも小さい場合には（Ｃ８：ＹＥＳ）、目標電流値が固定された側の駆動デューティが変動しない不変動状態の継続時間Ｔ２の計測を図示しない計測タイマにより開始する（Ｃ９）。そして、メイン制御部２４は、不変動状態の継続時間Ｔ２が所定時間Ｔ２ａを経過したか否かを判断する（Ｃ１０）。なお、所定時間Ｔ２ａは、適宜変更して設定することができ、この場合、２０００［ｍｓ］で設定されている。そして、メイン制御部２４は、継続時間Ｔ２が所定時間Ｔ２ａを経過した場合には（Ｃ１０：ＹＥＳ）、目標電流値が固定された側のソレノイドに故障が発生していると判定する（Ｃ１１）。
【００４８】
一方、メイン制御部２４は、目標電流値が固定された側の駆動デューティが所定値Ｐ２以上である場合には（Ｃ８：ＮＯ）、計測タイマにより計測されている継続時間Ｔ２をクリアする（Ｃ１２）。そして、メイン制御部２４は、目標電流値が固定された側のソレノイドが正常であると判定する（Ｃ１３）。
【００４９】
次に、例えば図８に示すタイミングチャートを用いて、以上の制御内容を視覚的に説明する。即ち、ソレノイドの故障判定制御が開始されると、プライマリ側ソレノイド駆動系３０ｐに出力する目標電流値およびセカンダリ側ソレノイド駆動系３０ｓに出力する目標電流値の何れか一方が固定され他方が変動される。この場合、プライマリ側ソレノイド駆動系３０ｐに出力する目標電流値Ｐ１が固定され、セカンダリ側ソレノイド駆動系３０ｓに出力する目標電流値Ｓ１が変動されている。また、ソレノイドの故障判定制御を開始してからの経過時間Ｔ１が計測される。そして、経過時間Ｔ１が所定時間Ｔ１ａを経過するまでに、目標電流値を変動させた側の実電流値の変動回数Ｎ１が所定回数Ｎ１ａに到達すると、または、目標電流値を変動させた側の駆動デューティの変動回数Ｎ２が所定回数Ｎ２ａに到達すると、目標電流値が固定された側の駆動デューティが変動しているか否かが判定され、変動しない場合には、目標電流値が固定された側の駆動デューティが変動しない不変動状態の継続時間Ｔ２が計測される。そして、継続時間Ｔ２が所定時間Ｔ２ａに到達すると、目標電流値が固定された側のソレノイド、この場合、プライマリ側ソレノイド１３ｐに機能的な故障が発生していると判定される。
【００５０】
本実施形態によれば、プライマリ側ソレノイド駆動系３０ｐおよびセカンダリ側ソレノイド駆動系３０ｓが備えるフィードバックシステム、および、プライマリ側ソレノイド１３ｐとセカンダリ側ソレノイド１３ｓとの油圧連動性を利用して、プライマリ側ソレノイド駆動系３０ｐに出力する駆動電流の目標値およびセカンダリ側ソレノイド駆動系３０ｓに出力する駆動電流の目標値の何れか一方を固定し他方を変動させることにより、プライマリ側ソレノイド１３ｐおよびセカンダリ側ソレノイド１３ｓの故障を判定することができる。即ち、プライマリ側ソレノイド駆動系３０ｐに出力する駆動電流の目標値およびセカンダリ側ソレノイド駆動系３０ｓに出力する駆動電流の目標値の何れか一方を固定し他方を変動させた場合において、目標値が固定された側のソレノイドが正常であれば、目標値が固定された側のソレノイドの状態に変化が生じ、一方、目標値が固定された側のソレノイドが故障していれば、目標値が固定された側のソレノイドの状態に変化が生じない。
【００５１】
よって、本実施形態によれば、各ソレノイド１３ｐ，１３ｓに出力する駆動電流の目標値の何れか一方を固定し他方を変動させることにより、センサを要することなく、ソレノイドの故障を判定することができる。また、目標値を固定した側のソレノイドを故障が発生しているソレノイドとして直ちに特定することができ、何れのソレノイドが故障しているのかを特定するための処理が不要とすることができる。
【００５２】
また、本実施形態によれば、プライマリ側ソレノイド駆動系３０ｐに出力する駆動電流の目標値およびセカンダリ側ソレノイド駆動系３０ｓに出力する駆動電流の目標値の何れか一方を固定し他方を変動させることに応じて、目標値が固定された側のソレノイドの状態、具体的には実電流値や駆動デューティに変化が発生するか否かをモニタすることにより、ソレノイドの故障発生有無を簡便に判定することができる。
【００５３】
また、本実施形態によれば、ソレノイド故障判定モードと通常モードとを切り替え可能に構成したので、従来の通常モードによる制御を可能としつつも、新規で有用なソレノイド故障判定モードによる制御も可能とすることができる。また、ソレノイド故障判定モードと通常モードとの独立性も維持することができる。また、ソレノイド故障判定モードによる制御が従来の通常モードによる制御に及ぼす影響を最低限に抑えることができる。また、ソレノイド故障判定モードによる出力パターンを適宜変更することができ、機種に応じた出力パターンによりソレノイドの故障判定を行うことができる。
【００５４】
また、本実施形態によれば、メイン制御部２４は、ライマリ側ソレノイド駆動系３０ｐに出力する駆動電流の目標値およびセカンダリ側ソレノイド駆動系３０ｓに出力する駆動電流の目標値の何れか一方を固定し他方を変動させた場合において、さらに、目標値が変動された側のソレノイドの実電流値および目標値が変動された側の駆動デューティの少なくとも何れか一方の変動が所定時間内に所定回数検出された場合に、ソレノイドの故障判定を行うように構成されている。従って、例えば外部からのノイズに起因する誤判定を抑えることができる。
なお、本発明は、上述した実施形態に限定されるものではなく、その要旨を逸脱しない範囲で種々の実施形態に適用することができる。
【符号の説明】
【００５５】
図面中、１１ｐはプライマリプーリ（第１プーリ）、１１ｓはセカンダリプーリ（第２プーリ）、１２はベルト、１３ｐはプライマリ側ソレノイド（第１ソレノイド）、１３ｓはセカンダリ側ソレノイド（第２ソレノイド）、２０は電子制御ユニット（無段変速機の故障判定装置）、２２ｐはプライマリ側電流発生回路（第１駆動電流出力手段）、２２ｓはセカンダリ側電流発生回路（第２駆動電流出力手段）、２４はメイン制御部（故障判定手段）、２５ｐはプライマリ側フィードバック制御部（第１フィードバック手段）、２５ｓはセカンダリ側フィードバック制御部（第２フィードバック手段）を示す。
【図１】
2015140815.tif 000003
【図２】
2015140815.tif 000004
【図３】
2015140815.tif 000005
【図４】
2015140815.tif 000006
【図５】
2015140815.tif 000007
【図６】
2015140815.tif 000008
【図７】
2015140815.tif 000009
【図８】
2015140815.tif 000010